(57)【要約】【課題】  顧客が都合に合わせて様々な形態で認証情報を管理することができるシール付きカードを提供する。【解決手段】  シール付きカード１は、顧客を認証可能なバーコード２２が印刷された会員シール２０と、クレジットカードを含むカード類と略同一寸法であり、会員シール２０と同一のバーコード３４が印刷され、会員シール２０を剥離可能に貼設するカード状のカード本体３０とを備えたものである。また、カード本体３０は、会員シール２０を剥離可能に貼設するカード状の台材３１と、台材３１の会員シール２０が貼設されていない部分にラミネートされた表面材３２とを備えるものである。【選択図】図１
2005035149.tif 000002
【特許請求の範囲】
【請求項１】
顧客を認証可能な認証情報が記録された少なくとも一つの会員シールと、
クレジットカードを含むカード類と略同一寸法であり、前記会員シールと同一の前記認証情報が記録され、前記会員シールを剥離可能に貼設するカード状のカード本体と
を備えることを特徴とするシール付きカード。
【請求項２】
前記カード本体は、
前記会員シールを剥離可能に貼設するカード状の台材と、
前記台材の前記会員シールが貼設されていない部分にラミネートされた表面材と
を備えることを特徴とする請求項１に記載のシール付きカード。
【請求項３】
前記カード本体の前記認証情報は、
前記会員シールによって隠蔽されていることを特徴とする請求項１又は請求項２に記載のシール付きカード。
【請求項４】
相互に異なる前記認証情報が記録された複数の前記会員シールを備えると共に、前記カード本体には前記会員シールに対応した前記認証情報が記録されていることを特徴とする請求項１から請求項３までのいずれか一つに記載のシール付きカード。
【請求項５】
前記会員シール及び前記カード本体は、
表面に前記認証情報に加えて電話番号を含む広告表示がさらに表示されていることを特徴とする請求項１から請求項４までのいずれか一つに記載のシール付きカード。
【請求項６】
少なくとも一つのシールと、
クレジットカードを含むカード類と略同一寸法であり、前記シールを剥離可能に貼設するカード状のカード本体と
を備えることを特徴とするシール付きカード。
【発明の詳細な説明】
【技術分野】
【０００１】
本発明は、シール付きカードに関するものである。
【背景技術】
【０００２】
従来より、顧客に対する各種の店舗のサービスとして、購買料金または利用料金に応じた割引など、特典を提供することがある。本願出願人は、下記の特許文献１において、このようなサービスに利用可能な顧客認証システムを提案した。この顧客認証システムの運用にあたって、例えば、登録店舗側は、先ず、来店した顧客に対して個人情報を登録してもらうなどの手続を行うとともに、顧客を認証可能な認証情報が記録されたシールを手渡してこれを携帯電話などに貼り付けてもらう。
【０００３】
このシール８０は、具体的には、図４に示すように、表面に登録店舗の広告を示す広告表示８１と登録顧客の認証情報（識別コード）を有するバーコード８２とが印刷された紙片から構成されている。このシール８０は、裏面に糊などの接着手段が設けられているため台紙８３に張り付けられた状態で顧客に手渡されることになる。そして、これを受けとった顧客は、台紙８３からシール８０を剥がして例えば携帯電話８４の裏面８５に貼り付ける。顧客が登録店舗を訪れると、店舗端末の読取手段により、携帯電話８４に貼り付けられたシール８０のバーコード８２から認証情報が読取られ、顧客本人が特定されることになる。これによって、登録店舗側は、顧客にそれぞれに対してポイントなどを累積していって特典を提供するというサービスを実施することが可能となる。なお、図４は、従来のシール８０の使用方法を説明する説明図である。
【特許文献１】特開２００３−１２２９１１号公報
【発明の開示】
【発明が解決しようとする課題】
【０００４】
ところで、台紙８３からシール８０を全て剥がしてしまうと、台紙８３にはバーコード８２が残らないことから、顧客を認証するための手段として用いることは当然できない。すなわち、シール８０と台紙８３とを分離してそれぞれ別々に用いることはできなかった。ここで、顧客が携帯電話８４にシール８０を貼り付けることなく、シール８０を台紙８３に貼り付けたままの状態で所有して、認証情報を管理することも可能ではある。しかし、この場合、シール８０が台紙８３に対して簡単に剥がれるように貼り付けられているため、顧客の意図に反して剥がれてしまうことがあり、そのようであると認証情報が紛失してしまうことになる。また、台紙８３が、例えばクレジットカードなどと同様の定型の形状してないことから、カードケースや財布のカード入れなどで他のカード類と一緒にまとめて管理することが難しい。また、台紙８３は、通常、可撓性で耐久性のない紙片から構成されているため、長期に渡り所有していると、破れたり弱ってきたりして台紙としての機能を果たさなくなる可能性がある。このように、シール８０を台紙８３に貼り付けたままの状態で顧客が認証情報を所有・管理することは全く適当でない。
【０００５】
特に、顧客の携帯電話８４において裏面８５やその他のスペースに空きがなかったり、あるいは、顧客が携帯電話８４を所有してなかったりする場合、携帯電話８４にシール８０を貼り付けることができない。このため、顧客は、シール８０を台紙８３に貼り付けたままの状態で認証情報を所有・管理することを余儀なくされ、このような場合、上記のように認証情報の管理に困るという問題が発生する。
【０００６】
本発明は上記の実情を鑑み、顧客が都合に合わせて様々な形態で認証情報を管理することができるシール付きカードの提供を課題とするものである。
【課題を解決するための手段】
【０００７】
上記の課題を解決するため、本発明にかかるシール付きカードは、顧客を認証可能な認証情報が記録された少なくとも一つの会員シールと、クレジットカードを含むカード類と略同一寸法であり、前記会員シールと同一の前記認証情報が記録され、前記会員シールを剥離可能に貼設するカード状のカード本体とを備えることを主な特徴とするものである。
【０００８】
認証情報は、例えば会員番号など、少なくとも顧客を認証可能な情報であればよい。この認証情報を会員シールおよびカード本体に対してそれぞれ記録するには、例えば、１．会員シールおよびカード本体の表面に認証情報を有するバーコードをそれぞれ印刷することによって記録するものとしてもよく、２．会員シールおよびカード本体に認証情報が記憶されたＩＣチップをそれぞれ設けることによって記録するものとしてもよく、３．会員シールおよびカード本体の表面に認証情報を電子透かしによってそれぞれ埋め込むことによって記録するものとしてもよい。
【０００９】
会員シールは、一つのカード本体に対して一つ設けられているものであってもよく、複数設けられているものであってもよい。ここで、会員シールが複数設けられていると予備とすることが可能となり、例えば会員シールを貼り付けた携帯端末を紛失したり買い替えたりした場合であっても対応が可能となる。会員シールの大きさは、少なくともカード本体よりも小さく、携帯電話・携帯パソコン・パッドなどを含む携帯端末に貼り付けるのに適当な大きさであることが好ましい。なお、この会員シールは、携帯端末に貼り付けられることを想定して作成されたものであるが、その他の物品に貼り付けられることを排除するものではない。
【００１０】
カード本体は、クレジットカードのほか、キャッシュカード、プリペイドカード、ポイントカード、テレホンカードなど、財布のカード入れやカードケースに入れるのに適当な大きさのカード形状であり、短辺が５〜５．５ｃｍ、長辺が８〜８．５ｃｍの略長方形を呈するものである。
【００１１】
本発明に係るシール付きカードでは、会員シールおよびカード本体に、顧客を認証可能な認証情報が記録されていることになる。この場合、このシール付きカードを受けとった顧客は、従来と同様に会員シールを携帯端末に貼り付けることによって認証情報を管理してもよく、会員シールを携帯端末に貼り付けるとともにカード本体を別個に管理することにより会員シールおよびカード本体の両方で認証情報を管理してもよく、会員シールを携帯端末に貼り付けることなく会員シールがカード本体に貼設されたままの状態で認証情報を管理してもよく、さらに、カード本体のみで認証情報を管理してもよくなる。ここで、カード本体がクレジットカードを含むカード類と略同一寸法であるため、財布のカード入れやカードケースに収納することが可能となり、携帯に適している。
【００１２】
したがって、カード本体から会員シールを分離しても、それぞれ別個に管理して利用することが可能であるため、例えば登録店舗を訪れた際に会員シールを貼り付けた携帯端末を顧客が忘れてもカード本体があれば対処ができたり、逆に、カード本体を忘れたとしても会員シールを貼り付けた携帯端末があれば対処ができる。また、会員シールが複数設けられていると予備とすることが可能となり、例えば会員シールを貼り付けた携帯端末を紛失したり買い替えたりした場合であっても予備の会員シールを貼り付けることで対応できる。
【００１３】
また、認証情報を顧客の都合に合わせて最も管理しやすい形態で管理してもらうことができる。特に、顧客の携帯端末において裏面やその他の部分に空きスペースがない場合、または、顧客が携帯端末を所有していない場合など、必ずしも会員シールを携帯端末に貼り付けなくても顧客が認証情報を容易に管理できるので好適である。また、会員シールがカード本体に貼設されたままの状態で所有・管理した場合、たとえ会員シールが顧客に意図に反して剥がれて紛失しても、カード本体にも認証情報が記録されていることから認証情報をより確実に管理することができる。さらに、カード本体がクレジットカードを含むカード類と略同一寸法であるため、財布のカード入れやカードケースに入れて収納することが可能となり、顧客が認証情報を所有・管理しやすくできる。
【００１４】
本発明にかかるシール付きカードは、上記の構成に加え、前記カード本体は、前記会員シールを剥離可能に貼設するカード状の台材と、前記台材の前記会員シールが貼設されていない部分にラミネートされた表面材とを備えるものであってもよい。
【００１５】
これによれば、会員シールがカード本体の台材に貼設されることになる。そして、台材の会員シールが貼設されていない部分には表面材がラミネートされることになる。このため、会員シールの表面とカード本体の表面とを略面一にすることが可能となる。ここで、単に会員シールがカード本体の表面に貼り付けられているだけであると、カード本体に対して会員シールが厚み方向に突出することになる。この場合、会員シールに物品が引っ掛かりやすくなり、顧客の意図に反して会員シールがカード本体から剥がれやすくなる。これに対し、会員シールの表面とカード本体の表面とが略面一であれば、物品が引っ掛かる可能性を低くすることが可能となり、顧客の意図に反して会員シールがカード本体から剥がれ難くすることができる。
【００１６】
本発明にかかるシール付きカードは、上記の構成に加え、前記カード本体の前記認証情報は、前記会員シールによって隠蔽されているものであってもよい。
【００１７】
これによれば、会員シールを剥がすと、カード本体の認証情報が記録された部分が露出することになる。このため、会員シールを剥がす前と剥がした後とでシール付きカードの外観を略同一に保つことが可能となる。よって、会員シールを剥がしてもカード本体のデザイン性を保つことができる。また、カード本体の会員シールが貼設されていない部分に、認証情報をを記録する必要がなくなる。ここで、カード本体の表面には、例えば登録店舗の広告表示を印刷したりすることが可能である。このとき、認証情報が記録されている部分が、会員シールによって隠蔽されていない部分に設けられていると、カード本体において広告表示を行うことが可能なスペースが減少してしまうことになる。これに対し、カード本体において会員シールが貼設されている部分に認証情報が記録されていれば、カード本体において広告表示に使用できるスペースを増やすことができる。
【００１８】
本発明にかかるシール付きカードは、上記の構成に加え、相互に異なる前記認証情報が記録された複数の前記会員シールを備えると共に、前記カード本体には前記会員シールに対応した前記認証情報が記録されているものであってもよい。
【００１９】
これによれば、一つのカード本体に対して相互に異なる認証情報が記録された複数の会員シールが貼設されることになる。このため、登録店舗側としては、例えば複数の登録店舗がグループとなり一枚のシール付きカードを作成するなどすることが可能となる。これにより、シール付きカードを作成する一店舗あたりのコストを削減することができる。また、顧客は異なる登録店舗の認証情報を一枚のシール用カードで管理することが可能となる。よって、管理すべきカードの枚数を減らすことが可能となり、顧客の負担を軽減することもできる。
【００２０】
本発明にかかるシール付きカードは、上記の構成に加え、前記会員シール及び前記カード本体は、表面に前記認証情報に加えて電話番号を含む広告表示がさらに表示されているものであってもよい。
【００２１】
これによれば、会員シールおよびカード本体の表面に、電話番号を含む広告が表示されることになる。すなわち、会員シールおよびカード本体に宣伝機能が付加されることになる。したがって、会員シールおよびカード本体に宣伝機能が付加されることから、顧客認証システムの登録店舗側におけるシール付きカードの価値を高めることができる。また、顧客側または登録店舗側としても、認証情報がどの登録店舗のものかすぐわかり、管理がしやすくなる。さらに、電話番号が表示されることから、顧客が登録店舗の電話番号を知りたいときにすぐにわかり、利便性が高まる。
【００２２】
一方、本発明にかかるシール付きカードは、少なくとも一つのシールと、クレジットカードを含むカード類と略同一寸法であり、前記シールを剥離可能に貼設するカード状のカード本体とを備えるものであってもよい。
【００２３】
これによれば、少なくとも一つのシールが、カード類と略同一寸法のカード本体に剥離可能に貼設されることになる。ここで、シールが不定型の台紙などに貼設されていると、シールを各種の物品などに貼り付けるまでの間、所有・管理がし難いため、紛失してしまうことがある。これに対し、本発明のシール付きカードは、カード本体がクレジットカードを含むカード類と略同一寸法であるため、財布のカード入れやカードケースに収納することが可能となる。したがって、シールの所有・管理に好適である。なお、例えば、一枚のカード本体に対して複数のシールを貼設することも可能であり、この場合、シールの予備を保持したり、異なる種類のシールを保持したりすることができる。
【発明の効果】
【００２４】
本発明に係るシール付きカードは、顧客が都合に合わせて様々な形態で認証情報を管理することができるシール付きカードを提供できる。
【発明を実施するための最良の形態】
【００２５】
以下、本発明の一実施形態であるシール付きカード１について、図１および図２に基づき説明する。本実施形態のシール付きカード１は、後述の顧客認証システムにおいて、登録店舗が顧客に渡して顧客に管理してもらい、顧客が登録店舗に訪れた際に顧客を特定するために設けられたものである。先ず、本実施形態のシール付きカード１の構成について図１に基づき説明する。シール付きカード１は、図１（ａ）に示すように、会員シール２０と、カード本体３０と主にを備えている。なお、図１（ａ）は、シール付きカード１の構成を示す正面図である。
【００２６】
会員シール２０は、通常のシールと同様に、表面層および粘着層（接着面）から主として構成されている。表面層は、例えば、紙ベース、布ベース、またはプラスチックなどをシート状またはフィルム状に形成したものである。会員シール２０は、表面に、電話番号を含む登録店舗の広告を示す広告表示２１と、登録顧客の認証情報（識別コード）を有するバーコード２２とが印刷されている。また、会員シール２０は、一枚のカード本体３０に対して予備も含めて三枚設けられており、また、その三枚の会員シール２０には同一の広告表示２１およびバーコード２２が印刷されている。
【００２７】
カード本体３０は、クレジットカードを含むカード類と略同一寸法であり、図１（ａ）、（ｂ）、（ｃ）に示すように、三枚の会員シール２０を剥離可能に貼設するカード状の台材３１と、台材３１の三枚の会員シール２０が貼設されていない部分にラミネートされている表面材３２とを主に備えている。なお、図１（ｂ）は、シール付きカード１において会員シール２０の一枚を剥がした状態の構成を示す正面図であり、、図１（ｃ）は、シール付きカード１の構成を示す側面図である。
【００２８】
台材３１は、会員シール２０を剥離可能に貼設するため、シリコーン組成物など、剥離性を有するものが表面に設けられている。また、この台材３１は、図１（ｃ）に示すように、表面材３２によりも厚く、また、表面材３２よりも硬質の材質で形成されている。
【００２９】
表面材３２は、三枚の会員シール２０と同じ材質で形成されており、表面層および粘着層（接着面）から主として構成されている。表面層は、例えば、紙ベース、布ベース、またはプラスチックなどをシート状またはフィルム状に形成したものである。また、表面材３２は、図１（ａ）に示すように、電話番号を含む登録店舗の広告を示す広告表示３３と、登録顧客の認証情報（識別コード）を有するバーコード３４とが印刷されている。この表面材３２の広告表示３３およびバーコード３４は、三枚の会員シール２０に印刷されているものと同一のものである。この他、表面材３２には、図示は省略するが、登録店舗の名前・住所・ＦＡＸ番号・メールアドレス・地図・取扱商品などの広告表示を印刷することが可能である。
【００３０】
ここで、本実施形態のシール付きカード１が利用される顧客認証システムについて簡単に説明する。この顧客認証システムは、本願出願人が特開２００３−１２２９１１号公報において開示したものと略同一のものであり、登録店舗の店舗端末と、登録顧客の認証を管理する管理用サーバとが、広域ネットワークを介して接続されているものである。
【００３１】
特に、店舗端末は、登録顧客が所有するシール付きカード１のバーコード２２，３４から、登録顧客本人を特定するための認証情報を読取る読取手段（バーコードリーダ）と、読取手段によって読取られた認証情報を、広域ネットワークを介して管理用サーバに送信する送信手段と、認証情報を基に判断された認証結果が、管理用サーバから広域ネットワークを介して入力されると認証結果を認識する認識手段と、認識手段によって認識された認証結果を表示装置に表示させる表示制御手段とを備えるものである。
【００３２】
また、管理用サーバは、少なくとも登録顧客の個別情報をデータベースに記憶する記憶手段と、店舗端末から認証情報が入力されると、認証情報を、データベースに記憶された個別情報と照合し、登録店舗の登録顧客であることを認証する認証手段と、認証手段によって認証された認証結果を、店舗端末に送信する認証結果送信手段とを備えるものである。
【００３３】
この顧客認証システムによれば、例えば、店舗情報を取得して来店した顧客が商品を購入する際、店舗端末の読取手段によって、登録顧客のシール付きカード１のバーコード２２，３４から登録顧客本人を特定するための認証情報を読取る。そして、読取られた認証情報は、広域ネットワークを介して管理用サーバに送信される。認証情報を基に判断された認証結果が、管理用サーバから広域ネットワークを介して入力されると、店舗端末はそれを認識し表示装置に表示させる。これにより、登録店舗の店員等は、表示装置に表示された認証結果を基に登録された顧客であることを確認することが可能となる。
【００３４】
また、管理用サーバの認証手段は、店舗端末から広域ネットワークを介して認証情報が入力されると、この認証情報を、データベースに記憶されている個別情報（特に識別情報）と照合し、両者が一致した場合に、その顧客を登録店舗の登録顧客であることを認証する。そして、認証結果を店舗端末に送信することによって、店舗端末における認証結果の表示を可能とする。このように、登録顧客の個別情報は、管理用サーバにデータベースとして記憶されているため、シール付きカード１のバーコード２２，３４には、識別コードなどの最小限の認証情報のみ記憶すればよい。
【００３５】
このように、この顧客認証システムによれば、シール付きカード１のバーコード２２，３４に記録された認証情報を管理用サーバに送信することにより、登録店舗に来店した顧客を簡易に認証できる。また、管理用サーバのデータベースに登録顧客の個別情報が記憶され、その情報を基に認証が行われるため、シール付きカード１のバーコード２２，３４には、最小限の認証情報のみ記録すれば良く、シール付きカード１の大きさを小型化できるとともに安価に構成できる。したがって、シール付きカード１を提供する側の金銭的な負担を軽減できる。
【００３６】
次に、本実施形態のシール付きカード１の使用方法について図２に基づき説明する。このシール付きカード１は、前述の顧客認証システムの運用にあたって、登録店舗に来店した顧客に対して手渡されるものである。そして、これを受けとった顧客に、以下に示す主に二通りの使用方法で所有・管理してもらうこととなる。
【００３７】
第一の使用方法としては、図２（ａ）に示すように、カード本体３０から会員シール２０を剥がすとともに携帯電話４０の裏面４１に貼り付けることによって認証情報を有するバーコード２２を所有・管理してもらう方法がある。この場合、例えば携帯電話４０の裏面４１に貼り付けられた会員シール２０の表面全体を、図示省略の透明保護シールによって被覆してもよい。また、携帯電話４０の表面に会員シール２０を貼るスペースがある場合には、表面に貼るようにしてもよい。ここで、携帯電話４０は、通常、常に携帯するものであり、また、すぐに取り出せるように管理しているものであるため、会員シール２０を貼り付ける物品として特に好適である。なお、図２（ａ）は、シール付きカード１の会員シール２０としての使用方法を説明する説明図である。
【００３８】
このようにすれば、会員シール２０は、登録顧客が所有する携帯電話４０の裏面に設けられているため、携帯電話４０とともに取り扱われる。つまり、携帯電話４０の一部が本人を特定するための手段として機能することになる。なお、この場合、会員シール２０を剥がしたカード本体３０のみを、携帯電話４０とは別個に所有・管理してもよい。このようにカード本体３０のみを別個に所有・管理すれば、予備の会員シール２０が二枚残ることから、例えば携帯電話４０を紛失したときや買い換えたときにも対処が可能となる。
【００３９】
第二の使用方法としては、図２（ｂ）に示すように、カード本体３０から会員シール２０を剥がすことなく、シール付きカード１を受けとったままの状態で財布５０のカード入れ５１に入れて所有・管理してもらう方法がある。このようにすれば、クレジットカードのほか、キャッシュカード、プリペイドカード、ポイントカード、テレホンカードなど、他のカード類と一緒にまとめて管理することが可能となる。そして、登録店舗を訪れた際には、このシール付きカード１が本人を特定するための手段として機能することになる。なお、図２（ｂ）は、シール付きカード１のカードとしての使用方法を説明する説明図である。
【００４０】
このように、上記実施形態のシール付きカード１は、会員シール２０およびカード本体３０に、顧客を認証可能なバーコード２２，３４が記録されていることになる。この場合、このシール付きカード１を受けとった顧客は、従来と同様に会員シール２０を携帯電話４０に貼り付けることによってバーコード２２を管理してもよく、会員シール２０を携帯電話４０に貼り付けるとともにカード本体３０を別個に管理することにより会員シール２０およびカード本体３０の両方でバーコード２２，３４を管理してもよく、会員シール２０を携帯電話４０に貼り付けることなく会員シール２０がカード本体３０に貼設されたままの状態でバーコード２２，３４を管理してもよく、さらに、カード本体３０のみで認証情報を管理してもよくなる。ここで、カード本体３０がクレジットカードを含むカード類と略同一寸法であるため、財布５０のカード入れ５１やカードケース（図示省略）に収納することが可能となり、携帯に適している。
【００４１】
したがって、カード本体３０から会員シール２０を分離しても、それぞれ別個に管理して利用することが可能であるため、例えば登録店舗を訪れた際に会員シール２０を貼り付けた携帯電話４０を顧客が忘れてもカード本体３０があれば対処ができたり、逆に、カード本体３０を忘れたとしても会員シール２０を貼り付けた携帯電話４０があれば対処ができる。また、バーコード２２，３４を顧客の都合に合わせて最も管理しやすい形態で管理してもらうことができる。特に、顧客の携帯電話４０において裏面４１やその他の部分に空きスペースがない場合、または、顧客が携帯電話４０を所有していない場合など、必ずしも会員シール２０を携帯電話４０に貼り付けなくても顧客がバーコード２２，３４を容易に管理できるので好適である。また、会員シール２０がカード本体３０に貼設されたままの状態で所有・管理した場合、たとえ会員シール２０が顧客に意図に反して剥がれて紛失しても、カード本体３０にも同一のバーコード３４が記録されていることからバーコード２２，３４をより確実に管理することができる。さらに、カード本体３０がクレジットカードを含むカード類と略同一寸法であるため、財布５０のカード入れ５１やカードケースに入れて収納することが可能となり、顧客がバーコード３４を所有・管理しやすくできる。
【００４２】
また、上記実施形態のシール付きカード１は、会員シール２０がカード本体３０の台材３１に貼設されることになる。そして、台材３１の会員シール２０が貼設されていない部分には表面材３２がラミネートされることになる。このため、会員シール２０の表面とカード本体３０の表面とを略面一にすることが可能となる。ここで、単に会員シール２０がカード本体３０の表面に貼り付けられているだけであると、カード本体３０に対して会員シール２０が厚み方向に突出することになる。この場合、会員シール２０に物品が引っ掛かりやすくなり、顧客の意図に反して会員シール２０がカード本体３０から剥がれやすくなる。これに対し、会員シール２０の表面とカード本体３０の表面とが略面一であれば、物品が引っ掛かる可能性を低くすることが可能となり、顧客の意図に反して会員シール２０がカード本体３０から剥がれ難くすることができる。
【００４３】
さらに、上記実施形態のシール付きカード１は、会員シール２０およびカード本体３０の表面に、電話番号を含む広告が表示されることになる。すなわち、会員シール２０およびカード本体３０に宣伝機能が付加されることになる。したがって、会員シール２０およびカード本体３０に宣伝機能が付加されることから、顧客認証システムの登録店舗側におけるシール付きカード１の価値を高めることができる。また、顧客側または登録店舗側としても、バーコード２２，３４がどの登録店舗のものかすぐわかり、管理がしやすくなる。さらに、電話番号が表示されることから、顧客が登録店舗の電話番号を知りたいときにすぐにわかり、利便性が高まる。
【００４４】
以上、本発明について好適な実施形態を挙げて説明した。しかし、本発明はこの実施形態に限定されるものではない。以下に示すように、本発明の要旨を逸脱しない範囲において、種々の改良及び設計の変更が可能である。
【００４５】
１．上記実施形態のシール付きカード１は、上記顧客認証システムにおいて利用される場合を示した。しかし、このシール付きカード１の用途を、この顧客認証システムに限定するものではない。例えば、シール付きカード１の会員シール２０またはカード本体３０自体に、顧客の個人情報やポイントの蓄積情報を記録する形態の顧客認証システムにおいても利用することが可能である。
【００４６】
２．上記実施形態のシール付きカード１は、カード本体３０の表面材３２に、広告表示３３とバーコード３４とが印刷されているものを示した。しかし、これに特に限定されるものではなく、図３（ａ）に示すように、台材３１における会員シール２０によって隠蔽されている部分に広告表示３３とバーコード３４とを印刷するものであってもよい。この場合、会員シール２０を剥がすと、カード本体３０のバーコード３４が印刷された部分が露出することになる。このため、会員シール２０を剥がす前と剥がした後とでシール付きカード１の外観を略同一に保つことが可能となる。よって、会員シール２０を剥がしてもカード本体３０のデザイン性を保つことができる。なお、図３（ａ）は、本発明の他の実施形態であるシール付きカードの構成を示す正面図である。
【００４７】
また、この場合、表面材３２の表面にバーコード３４が印刷される部分を設ける必要がなくなる。ここで、表面材３２の表面には、前述のように登録店舗の広告表示を印刷したりすることが可能である。このとき、バーコード３４が記録されている部分が表面材３２に設けられていると、表面材３２において広告表示を行うことが可能なスペースが減少してしまうことになる。これに対し、台材３１の会員シール２０が貼設されている部分にバーコード３４が記録されていれば、表面材３２において広告表示に使用できるスペースを増やすことができる。
【００４８】
３．上記実施形態のシール付きカード１は、顧客を認証可能な認証情報を会員シール２０および台材３１に対してそれぞれ記録するに際し、会員シール２０および台材３１の表面に認証情報を有するバーコード２２，３４をそれぞれ印刷することによって記録するものを示した。しかし、これに特に限定するものではなく、例えば、会員シール２０およびカード本体３０に認証情報が記憶されたＩＣチップをそれぞれ設けることによって記録するものとしてもよい。この場合、ＩＣチップを利用することによって、記録可能な情報量を大幅に増やすことができる。また、ＩＣチップに読書き可能な記憶手段を備えるようにすれば、一つのＩＣチップに複数の登録店舗における認証情報を書込むことが可能となる。また、会員シール２０およびカード本体３０の表面に認証情報を電子透かしによってそれぞれ埋め込むことによって記録するものとしてもよい。この場合、会員シール２０およびカード本体３０の表面全体に広告を印刷することが可能になるため、会員シール２０およびカード本体３０の価値をさらに高めることができる。
【００４９】
４．上記実施形態のシール付きカード１は、同一のバーコード２２が印刷された三枚の会員シール２０を備えるものを示した。しかし、一枚のカード本体３０に対して貼設される会員シール２０の枚数はこれに特に限定されるものではない。例えば、会員シール２０を一枚だけ備えるものであってもよく、また、図３（ａ）に示すように、二枚の会員シール２０を備えるものであってもよく、さらに、四枚以上の会員シール２０を備えるものであってもよい。
【００５０】
５．上記実施形態のシール付きカード１は、一枚のカード本体３０に貼設されている会員シール２０のバーコード２２が全て同一であるものを示した。しかし、一枚のカード本体３０に貼設されている会員シール２０が複数備えられている場合、必ずしも全て同一のバーコード２２が印刷されている必要はない。例えば、図３（ｂ）に示すように、会員シール２０ａ，２０ｂに印刷されているバーコード２２ａ，２２ｂが相互に異なるものであってもよい。これによれば、一つのカード本体３０に対して相互に異なるバーコード２２が記録された複数の会員シール２０が貼設されることになる。このため、登録店舗側としては、例えば複数の登録店舗がグループとなり一枚のシール付きカード１を作成するなどすることが可能となる。これにより、シール付きカード１を作成する一店舗あたりのコストを削減することができる。また、顧客は異なる登録店舗のバーコード２２を一枚のシール付きカード１で管理することが可能となる。よって、管理すべきカードの枚数を減らすことが可能となり、顧客の負担を軽減できる。なお、図３（ｂ）は、本発明の他の実施形態であるシール付きカードの構成を示す正面図である。
【００５１】
６．上記実施形態のシール付きカード１は、バーコード２２および広告表示２１が印刷された会員シール２０と、会員シール２０と同一のバーコード２２および広告表示２１が印刷されたカード本体３０とを備えるものを示しが、これに特に限定されるものではない。例えば、会員シール２０に換えて適宜情報を表示したシールとしてカード本体３０に貼設したものであってもよく、その場合、シールの表示内容がカード本体３０に表示されていなくてもよい。
【図面の簡単な説明】
【００５２】
【図１】（ａ）本発明の一実施形態であるシール付きカードの構成を示す正面図、（ｂ）シール付きカードにおいて会員シールを剥がした状態の構成を示す正面図、（ｃ）シール付きカードの構成を示す側面図である。
【図２】（ａ）シール付きカードの会員シールとしての使用方法を説明する説明図、（ｂ）シール付きカードのカードとしての使用方法を説明する説明図である。
【図３】（ａ）本発明の他の実施形態であるシール付きカードの構成を示す正面図、（ｂ）本発明の他の実施形態であるシール付きカードの構成を示す正面図である。
【図４】従来のシールの使用方法を示す説明図である。
【符号の説明】
【００５３】
１  シール付きカード
２０  会員シール
２１  広告表示
２２  バーコード（認証情報）
３０  カード本体
３１  台材
３２  表面材
３３  広告表示
３４  バーコード（認証情報）
【図１】
2005035149.tif 000003
【図２】
2005035149.tif 000004
【図３】
2005035149.tif 000005
【図４】
2005035149.tif 000006